(57)【要約】    【課題】  統合制御表示器を操縦者の音声入力により操作可能とし、操縦者が統合制御表示器の操作キーを操作することなく、前方に配置された計器板表示器で操作内容の確認をすることができる様にし、操作性、安全性の向上を図る。    【解決手段】  操縦室の操縦席側方に設けられ、指令信号抽出部１５を有する第１制御装置１と、操縦席前方に表示部１２を有する第２制御装置１１とを具備し、前記指令信号抽出部は入力された音声信号２５から指令信号を抽出し、前記第１制御装置は前記指令信号を前記第２制御装置に送出し、該第２制御装置は入力された前記指令信号に基づき前記表示部に指令内容を表示させる様構成した。    【選択図】          図２
2010018144.tif 000002
【特許請求の範囲】
【請求項１】
操縦室の操縦席側方に設けられ、指令信号抽出部を有する第１制御装置と、操縦席前方に表示部を有する第２制御装置とを具備し、前記指令信号抽出部は入力された音声信号から指令信号を抽出し、前記第１制御装置は前記指令信号を前記第２制御装置に送出し、該第２制御装置は入力された前記指令信号に基づき前記表示部に指令内容を表示させる様構成したことを特徴とする統合制御装置。
【発明の詳細な説明】
【技術分野】
【０００１】
本発明は、航空機等に搭載され、航空機と地上管制機関との間の地対空通信を行う場合の伝送情報の表示、及び制御を行う統合制御装置に関するものである。
【背景技術】
【０００２】
航空機等は、地上管制機関との間で地対空通信を行う場合に伝送情報の表示、制御を行う装置として、統合制御表示器（ＣＤＵ：Ｃｏｎｔｒｏｌ  Ｄｉｓｐｌａｙ  Ｕｎｉｔ）及び計器板表示器（ＳＤＵ：Ｓｕｂ  Ｄｉｓｐｌａｙ  Ｕｎｉｔ）から構成される統合制御装置を搭載し、ＣＤＵ及びＳＤＵによって航空機と地上管制機関との間の地対空通信、航空機に搭載された他の制御、監視を行っている。
【０００３】
ＣＤＵは、無線機や航法装置のデータを表示パネルにモニタリングし、又操作部の操作キーが操作されることで、制御対象装置の制御、監視を行う。又ＳＤＵは、現在設定されている無線機の周波数等を表示する。
【０００４】
統合制御表示器１は、図３に概略が示される様に、表示部２、操作キー３によって構成される操作部４を有し、操縦室５に中央配置される。従って、前記統合制御表示器１は操縦席６，７の左側又は右側となり、操縦者に対しては右下或は左下の位置となる。又、ＳＤＵ１１は無線の周波数を表示する表示部１２を有し、パイロットが視線を落すことなく見ることができる様、操縦室５の前面窓付近に設置される。
【０００５】
操縦者が前記統合制御表示器１を操作する為には、前記操作キー３の確認、前記表示部２に表示された操作内容、操作状況の確認の為、視線を落す必要がある。又、誤操作を防止する為には、前記操作部４の位置、前記操作キー３の配置を熟知する必要があった。
【０００６】
又、前記表示部２には太陽光が差込む場合がある。該表示部２のバックライトの輝度を高めて、視認性を確保することはできるが、前記表示部２で表面での反射光が操縦者の視野に入る場合は、視認性が低下することは避けられず、操作内容の確認が容易にできないという問題があった。
【０００７】
尚、ＣＤＵとしては、特許文献１に示されるものがある。
【０００８】
【特許文献１】特開２００１−２１３３９９号公報
【発明の開示】
【発明が解決しようとする課題】
【０００９】
本発明は斯かる実情に鑑み、統合制御表示器を操縦者の音声入力により操作可能とし、操縦者が統合制御表示器の操作キーを操作することなく、又統合制御表示器の表示部で操作内容の確認をすることなく、確実に統合制御表示器の操作を行える様にするものである。
【課題を解決するための手段】
【００１０】
本発明は、操縦室の操縦席側方に設けられ、指令信号抽出部を有する第１制御装置と、操縦席前方に表示部を有する第２制御装置とを具備し、前記指令信号抽出部は入力された音声信号から指令信号を抽出し、前記第１制御装置は前記指令信号を前記第２制御装置に送出し、該第２制御装置は入力された前記指令信号に基づき前記表示部に指令内容を表示させる様構成した統合制御装置に係るものである。
【発明の効果】
【００１１】
本発明によれば、操縦室の操縦席側方に設けられ、指令信号抽出部を有する第１制御装置と、操縦席前方に表示部を有する第２制御装置とを具備し、前記指令信号抽出部は入力された音声信号から指令信号を抽出し、前記第１制御装置は前記指令信号を前記第２制御装置に送出し、該第２制御装置は入力された前記指令信号に基づき前記表示部に指令内容を表示させる様構成したので、音声により必要な指示を第１制御装置に与えられ、該第１制御装置を直接操作する必要がなく、与えた指示は前方の表示部に表示され、視線を大きく変更することなく指示内容が確認でき、操作性、安全性の向上が図れるという優れた効果を発揮する。
【発明を実施するための最良の形態】
【００１２】
以下、図面を参照しつつ本発明を実施する為の最良の形態を説明する。
【００１３】
先ず、図１により、本発明の概略を説明する。
【００１４】
操縦者は統合制御表示器１に対して音声入力を行う。該統合制御表示器１は音声認識すると共に、音声を分析して指令信号を抽出する。抽出した指令信号に基づき、前記統合制御表示器１の表示部２に指令内容を表示すると共に指令信号を計器板表示器１１に送信する。該計器板表示器１１は、指令信号の内容を該計器板表示器１１の表示部１２に表示し、操縦者は、該表示部１２に表示された内容により、指示した内容を確認する。又、前記表示部１２は操縦者の前方に配されており、操縦者は視線を大きく変える必要はない。
【００１５】
次に、図２により、前記統合制御表示器１について説明する。
【００１６】
該統合制御表示器１は、指令信号抽出部１５、制御処理部１６、表示処理部１７、表示部２、インタフェース部１９を具備し、更に前記指令信号抽出部１５は主に音響分析部２１、音声認識部２２、記憶部２３から構成される。
【００１７】
マイク等の音声／電気信号変換部により操縦者の音声が電気的な信号である音声信号２５に変換され、前記統合制御表示器１に入力される。入力された前記音声信号２５は前記音響分析部２１に於いて、前記音声信号２５の信号処理により、該音声信号２５の特徴部分を抽出して信号化する。信号化された分析信号２６は、前記音声認識部２２に送出される。
【００１８】
前記記憶部２３には、音声分析で抽出した前記分析信号２６に対応する辞書データ２４（例えば分析信号に対応するテキストデータ）が格納されている。
【００１９】
前記音声認識部２２は、入力された前記分析信号２６と前記辞書データ２４との対応から該当するテキストデータを検索して、前記分析信号２６をテキストデータ２７に変換する。
【００２０】
テキストデータ変換の方法としては、例えば、前記分析信号２６を音響と発音記号（音声をカナにしたもの）との確率の対応付けを行う。例えば、パイロットが制御対象機器の装置名称を「シーデーユー」と音声入力した場合、「シーディーユー」確率４０％、「イーデーユー」確率１０％、「シーデーユー」確率９０％という様に発音記号の並びがそれぞれ確率付けされる。
【００２１】
前記辞書データ２４には、使用される指令についての単語（認識対象の単語）に関するデータが登録されている。
【００２２】
従って、辞書登録されたテキスト変換用のデータが「シーデーユー」であると、前記分析信号２６が「シーデーユー」と認識されテキスト変換されるが、「シーディーユー」、「イーデーユー」は辞書にないから認識されない。又、テキストデータ２７も出力されない。
【００２３】
前記音声認識部２２から出力された、テキストデータ２７は、前記表示処理部１７、前記インタフェース部１９に送出される。
【００２４】
前記表示処理部１７では、テキストデータ２７をビデオ信号に変換し、前記表示部２に送出し、該表示部２に於いて操縦者の指示内容が表示される。
【００２５】
又、前記インタフェース部１９では入力された信号を送信用の信号、例えばシリアル信号２８に変換して、前記計器板表示器１１に送出する。該計器板表示器１１では前記シリアル信号２８をビデオ信号に変換して、前記表示部１２に表示させる。
【００２６】
操縦者は、該表示部１２の表示内容を確認することで、音声入力により前記統合制御表示器１に指示した内容の確認を行う。音声入力が正常に処理されていることを確認し、前記統合制御表示器１に、音声処理が正常に確認したことを通知する。即ち、音声入力した指示内容の実行を音声により入力する（指示内容実行のトリガを音声入力する）。
【００２７】
如上の如く、本発明では操縦者が前記統合制御表示器１の操作内容を、該統合制御表示器１を直接操作して入力することなく、音声入力し、該統合制御表示器１の前記音声認識部２２により音声認識を行い、認識された操作内容が前記計器板表示器１１の前記表示部１２に表示されるので、音声による前記統合制御表示器１の操作が行えると共に操作内容が視線を変えることなく確認でき、操作性、安全性が向上する。
【００２８】
（付記）
又、本発明は以下の実施の態様を含む。
【００２９】
（付記１）航空機のコックピット内のパイロット側方に配置された第１の制御装置（ＣＤＵ）と、前記コックピット内のパイロット前方に配置され、前記第１の制御装置と電気的に接続された第２の制御装置（ＳＤＵ）と、前記第１の制御装置に設けられた第１の表示部と、前記第２の制御装置に設けられた第２の表示部とを備え、前記第１の制御装置は、パイロットが発した音声による指示を認識する音声認識部と、該音声認識部で認識した前記パイロットからの指示に応じた処理を実行する処理実行部と、前記音声認識部で認識した前記パイロットからの指示を文字列として前記第１の表示部と前記第２の表示部に表示させる表示制御部とを備えることを特徴とする統合制御装置。
【図面の簡単な説明】
【００３０】
【図１】本発明の概略を示す説明図である。
【図２】本発明の実施の形態に係る統合制御表示器の概略構成を示すブロック図である。
【図３】従来例を示す説明図である。
【符号の説明】
【００３１】
１              統合制御表示器
２              表示部
３              操作キー
４              操作部
５              操縦室
１１            計器板表示器
１２            表示部
１５            指令信号抽出部
１６            制御処理部
１７            表示処理部
２１            音響分析部
２２            音声認識部
２３            記憶部
【図１】
2010018144.tif 000003
【図２】
2010018144.tif 000004
【図３】
2010018144.tif 000005